(57)【要約】【課題】本発明は、顔面に対する追随性を向上した新規な支持体構造、及び、前記支持体構造を用いたマスク状貼付剤を提供することを目的とする。【解決手段】  ４０〜１００ｇ／ｍ２の目付量となされた標準目付部２０と、４０ｇ／ｍ２未満の目付量となされた低目付部２１と、を具備してなる不織布シート２を支持体構造１とし、この支持体構造１を用いてマスク状貼付剤１０を構築する。【選択図】図１
2020048998.tif 000002
【特許請求の範囲】
【請求項１】
顔面に貼付されて使用されるマスク状貼付剤の支持体構造であって、
不織布シートからなり、
４０〜１００ｇ／ｍ２の目付量となされた標準目付部と、
４０ｇ／ｍ２未満の目付量となされた低目付部と、
を具備してなることを特徴とする支持体構造。
【請求項２】
請求項１に記載の支持体構造において、
前記低目付部が、前記不織布シートの外縁に沿って設けられてなる支持体構造。
【請求項３】
請求項１又は２に記載の支持体構造において、
前記低目付部が、前記不織布シートの鼻に相当する部分の両サイドに設けられてなる支持体構造。
【請求項４】
請求項１ないし３のいずれか１項に記載の支持体構造において、
前記低目付部が、前記不織布シートの外縁から内方向に向かう複数筋のライン状に設けられてなる支持体構造。
【請求項５】
請求項１ないし４のいずれか１項に記載の支持体構造において、
前記不織布シートの目又は口に相当する部分に、１〜５ｍｍ角の目開きとなされたメッシュ部が設けられてなる支持体構造。
【請求項６】
請求項１ないし５のいずれか１項に記載の支持体構造において、
１００ｇ／ｍ２を超える目付量となされた高目付部を更に具備してなる支持体構造。
【請求項７】
請求項６に記載の支持体構造において、
前記高目付部が、前記不織布シートの額、鼻筋、小鼻、目元、又は頬に相当する部分のいずれかに設けられてなる支持体構造。
【請求項８】
請求項１ないし７のいずれか１項に記載の支持体構造と、
前記支持体構造に担持された薬液と、
を具備してなることを特徴とするマスク状貼付剤。
【発明の詳細な説明】
【技術分野】
【０００１】
本発明は、顔面に貼付されて使用されるマスク状貼付剤の支持体構造、及び、前記支持体構造を用いたマスク状貼付剤に関する。
【背景技術】
【０００２】
パックシートやパックマスクなどと称されるマスク状貼付剤は、顔面に貼付されることによって、皮膚表面に冷感や温感を与えたり、支持体に担持された有効成分を経皮吸収的に投与したりするものである。
【０００３】
前記マスク状貼付剤としては、顔を模倣した形状にカットされたシート状の支持体に乳液状の基剤を含侵させたものや、前記支持体の片面にクリーム状、軟膏状、或いはゲル状の基剤層を積層させたものが一般的である。
【０００４】
最近では、顔の凹凸形状に追随しやすいように、前記支持体の各所にミシン目が付与されたマスク状貼付剤も開発されている（例えば、下記特許文献１参照。）。
【先行技術文献】
【特許文献】
【０００５】
【特許文献１】特開２０１１−１２５６１０号公報
【発明の概要】
【発明が解決しようとする課題】
【０００６】
前記特許文献１に開示されたマスク状貼付剤（多目的用途の立体型フェイスマスク）は、鼻や目じり、及び頬に相当する各部分に複数条のミシン目設けることによって、支持体に部分的な伸縮性を付与したものである。
【０００７】
しかしながら、前記特許文献１に開示されたマスク状貼付剤は、支持体の成形後にミシン目を付与する必要があることから製造工程が多くなり、又、ミシン目を設ける部分の剛性を担保するために、不織布の目付量に応じて、ミシン目の大きさや数を調整する必要があった。
【０００８】
本発明は前記技術的課題に鑑みて開発されたものであり、顔面に対する追随性を向上した新規な支持体構造、及び、前記支持体構造を用いたマスク状貼付剤を提供することを目的とする。
【課題を解決するための手段】
【０００９】
前記技術的課題を解決するための本発明の支持体構造は、顔面に貼付されて使用されるマスク状貼付剤の支持体構造であって、不織布シートからなり、４０〜１００ｇ／ｍ２の目付量となされた標準目付部と、４０ｇ／ｍ２未満の目付量となされた低目付部と、を具備してなることを特徴とする（以下、「本発明支持体構造」と称する。）。
【００１０】
前記本発明支持体構造においては、前記低目付部が、前記不織布シートの外縁に沿って設けられてなるものが好ましい態様となる。
【００１１】
前記本発明支持体構造においては、前記低目付部が、前記不織布シートの鼻に相当する部分の両サイドに設けられてなるものが好ましい態様となる。
【００１２】
前記本発明支持体構造においては、前記低目付部が、前記不織布シートの外縁から内方向に向かう複数筋のライン状に設けられてなるものが好ましい態様となる。
【００１３】
前記本発明支持体構造においては、前記不織布シートの目又は口に相当する部分に、１〜５ｍｍ角の目開きとなされたメッシュ部が設けられてなるものが好ましい態様となる。
【００１４】
前記本発明支持体構造においては、１００ｇ／ｍ２を超える目付量となされた高目付部を更に具備してなるものが好ましい態様となる。
【００１５】
前記本発明支持体構造においては、前記高目付部が、前記不織布シートの額、鼻筋、小鼻、目元、又は頬に相当する部分のいずれかに設けられてなるものが好ましい態様となる。
【００１６】
前記技術的課題を解決するための本発明のマスク状貼付剤は、前記本発明支持体構造と、前記本発明支持体構造に担持された薬液と、を具備してなることを特徴とする（以下、「本発明貼付剤」と称する。）。
【発明の効果】
【００１７】
本発明支持体構造によれば、顔面に対する追随性が高い本発明貼付剤を構築することができる。
【図面の簡単な説明】
【００１８】
【図１】図１は、実施形態１に係る本発明支持体構造を示す正面図（ａ）と、Ｘ‐Ｘ断面図（ｂ）である。
【図２】図２（ａ）、（ｂ）は、不織布シートの製造工程を示す断面図である。
【図３】図３は、前記本発明支持体構造を用いた本発明貼付剤の使用態様を示す正面図である。
【図４】図４（ａ）は、実施形態２に係る本発明支持体構造を示す正面図であり、図４（ｂ）は、その使用態様を示す正面図である。
【図５】図５（ａ）は、実施形態３に係る本発明支持体構造を示す正面図であり、図５（ｂ）は、その使用態様を示す正面図である。
【図６】図６（ａ）は、実施形態４に係る本発明支持体構造を示す正面図であり、図６（ｂ）は、その使用態様を示す正面図である。
【図７】図７（ａ）は、実施形態５に係る本発明支持体構造を示す正面図であり、図７（ｂ）は、その使用態様を示す正面図である。
【発明を実施するための形態】
【００１９】
以下、本発明の実施形態を説明するが、本発明はこれらの実施形態に限定されるものではない。
【００２０】
［実施形態１］
＜本発明支持体構造１＞
図１に、実施形態１に係る本発明支持体構造１を示す。前記本発明支持体構造１は、「不織布シート（２）」からなる。
【００２１】
前記不織布シート２は、繊維を織らずにシート状に加工した不織布である。本実施例においては、前記不織布シート２として、ＰＥＴ系繊維を素材とする単層のスパンレース不織布を用いた。前記不織布シート２は、顔面を覆い得る形状にカットされており、目や口に相当する部分に貫通孔２Ｈが設けられ、又、鼻に相当する部分にＵ字状のカットライン２Ｃが設けられている。
【００２２】
そして、本発明においては、前記本発明支持体構造１を構成する前記不織布シート２につき、４０〜１００ｇ／ｍ２の目付量となされた「標準目付部（２０）」と、４０ｇ／ｍ２未満の目付量となされた「低目付部（２１）」と、を具備するものとされる。本実施形態においては、前記不織布シート２の外縁に沿って幅１５ｍｍの低目付部（目付量２５ｇ／ｍ２）２１を設け、前記低目付部２１以外の部分（外縁を除く中央部）を標準目付部（目付量７０ｇ／ｍ２）２０とした。
【００２３】
なお、前記不織布シート２に前記低目付部２１を設けるにあたっては、例えば、図２に示すように、不織布製造装置における繊維搬送用のベルト（或いはロール）Ｂに凸部Ｂ１を設け、このベルトＢによって繊維の集合体を搬送しながら高圧水や熱風を吹き付けることによって繊維を交絡させる方法を挙げることができる。この方法によって作成された不織布シート２には、前記ベルトＢの凸部Ｂ１に相対した部分において目付量が少ない低目付部２１が設けられる。
【００２４】
＜本発明貼付剤１０＞
前記構成を有する本発明支持体構造１は、化粧水等の薬液を担持させることによって、図３に示すような顔面に貼付されて使用される発明貼付剤１０となる。前記本発明貼付剤１０を構成する前記本発明支持体構造１に設けられた前記低目付部２１は、その他の部分（標準目付部２０）と比較して柔軟性や伸縮性が高いため、前記本発明貼付剤１０は、前記低目付部２１の存する部分において顔面の形状に追随し易いものとなる。本実施形態のように、前記不織布シート２の外縁に沿って前記低目付部２１を設けた場合にあっては、前記本発明貼付剤１０の外縁が顔面に追随し易くなり、使用感が向上し、又、使用中の剥がれ等の発生が抑制される。
【００２５】
ところで、本実施形態においては、前記不織布シート２として、ＰＥＴ系繊維を素材とするスパンレース不織布を用いたが、前記不織布シート２はこの種の不織布に限られない。前記不織布シート２としては、例えば、ナイロン、ビニロン、ポリエステル、レーヨン、アセテート、アクリル、ポリエチレン、ポリプロピレン、ポリ塩化ビニル等の人工繊維や、綿、麻、絹等の天然繊維から選ばれた１種又は２種以上の繊維素材を用いて形成された不織布を挙げることができる。又、本実施形態では、前記不織布シート２につき湿式法にて作成したが、前記不織布シート２は、湿式法以外の製法（例えば、乾式法やスパンボンド法、或いはメルトブローン法）によって作成しても良い。なお、狭義の不織布は、紙やフェルトを含まないとされているが、本発明においては、紙やフェルトも前記不織布シート２に含まれるものとする。
【００２６】
ここで、本発明においては、前記標準目付部２０につき、４０〜１００ｇ／ｍ２の目付量（より好ましくは、５０〜９０ｇ／ｍ２の目付量）としているが、この標準目付部２０の目付量は、一般的なマスク状貼付剤の支持体として使用される不織布の目付量を基準としたものである。一方、本発明においては、前記低目付部２１につき、４０ｇ／ｍ２未満の目付量とする。前記低目付部２１につき、４０ｇ／ｍ２未満の目付量（より好ましくは、１０〜３０ｇ／ｍ２の目付量）とすれば、前記低目付部２１の存する部分の柔軟性や伸縮性が高くなり、顔面への追随性が向上することが確認されている。
【００２７】
なお、本実施形態においては、前記低目付部２１の幅につき１５ｍｍとしているが、前記低目付部２１の幅は、５ｍｍ以上（より好ましくは、１０〜３０ｍｍ）とすることが好ましい。
【００２８】
［実施形態２］
＜本発明支持体構造１＞
図４（ａ）に、実施形態２に係る本発明支持体構造１を示す。本実施形態に係る本発明支持体構造１は、前記実施形態１に係る本発明支持体構造１における前記不織布シート２の鼻に相当する部分の両サイドに対し、別の低目付部２１を設けたものである。
【００２９】
＜本発明貼付剤１０＞
本実施形態に係る本発明支持体構造１も、化粧水等の薬液を担持させることによって、図４（ｂ）に示すような顔面に貼付されて使用される発明貼付剤１０となる。前記本発明貼付剤１０は、鼻に相当する部分の両サイドに対して柔軟性や伸縮性の高い低目付部２１を設けているため、鼻の隆起に対する追随性が向上されたものとなる。その余は、前記実施形態１と同様のため、繰り返しを避けるべくここでは説明を省略する。
【００３０】
［実施形態３］
＜本発明支持体構造１＞
図５（ａ）に、実施形態３に係る本発明支持体構造１を示す。本実施形態に係る本発明支持体構造１は、前記実施形態２に係る本発明支持体構造１における前記不織布シート２の外縁から内方向に向かって、複数筋のライン状に更に別の低目付部２１を設けたものである。
【００３１】
＜本発明貼付剤１０＞
本実施形態に係る本発明支持体構造１も、化粧水等の薬液を担持させることによって、図５（ｂ）に示すような顔面に貼付されて使用される発明貼付剤１０となる。前記本発明貼付剤１０は、前記不織布シート２の外縁から内方向に向かって、複数筋のライン状に低目付部２１を設けているため、顔面に貼付した際、このライン上の低目付部２１の存する部分を襞状に折り曲げることができるようになり、顔面の湾曲により一層追随し易いものとなる。その余は、前記実施形態１、２と同様のため、繰り返しを避けるべくここでは説明を省略する。
【００３２】
［実施形態４］
＜本発明支持体構造１＞
図６（ａ）に、実施形態４に係る本発明支持体構造１を示す。本実施形態に係る本発明支持体構造１は、目及び口に相当する部分に貫通孔２Ｈを設ける代わりに、１．５ｍｍ角の目開きとなされた「メッシュ部（３）」を設けた以外は、前記実施形態３に係る本発明支持体構造１と同様の構成を有する。なお、前記不織布シート２に前記メッシュ部３を設けるにあたっては、例えば、不織布製造装置における繊維搬送用のベルト（或いはロール）に細かな凸部や細孔を設け、このベルトによって繊維の集合体を搬送しながら高圧水や熱風を吹き付けることによって繊維を交絡させる方法を挙げることができる。
【００３３】
＜本発明貼付剤１０＞
本実施形態に係る本発明支持体構造１も、化粧水等の薬液を担持させることによって、図６（ｂ）に示すような顔面に貼付されて使用される発明貼付剤１０となる。前記本発明貼付剤１０は、目及び口に相当する部分を貫通孔２Ｈではなく、メッシュ部３としていることから瞼や口周りについてもケアすることができるうえ、前記メッシュ部３を通じて視界や呼吸を確保することができるものとなる。前記メッシュ部３の目開きは、１〜５ｍｍ角（より好ましくは、１〜２ｍｍ角）とすることが好ましい。その余は、前記実施形態１〜３と同様のため、繰り返しを避けるべくここでは説明を省略する。
【００３４】
［実施形態５］
＜本発明支持体構造１＞
図７（ａ）に、実施形態４に係る本発明支持体構造１を示す。本実施形態に係る本発明支持体構造１は、額及び鼻筋に相当する部分（いわゆるＴゾーン）に、１２０ｇ／ｍ２の目付量となされた「高目付部（２２）」を設けた以外は、前記実施形態４に係る本発明支持体構造１と同様の構成を有する。なお、前記不織布シート２に前記高目付部２２を設けるにあたっては、例えば、不織布製造装置における繊維搬送用のベルト（或いはロール）に細かな凹部を設け、このベルトによって繊維の集合体を搬送しながら高圧水や熱風を吹き付けることによって繊維を交絡させる方法を挙げることができる。
【００３５】
＜本発明貼付剤１０＞
本実施形態に係る本発明支持体構造１も、化粧水等の薬液を担持させることによって、図７（ｂ）に示すような顔面に貼付されて使用される発明貼付剤１０となる。前記本発明貼付剤１０は、前記高目付部２２の存する部分において薬液の担持量が多くなり、当該部分において集中的なケアが可能なものとなる。前記高目付部２２は、前記不織布シート２の額、鼻筋、小鼻、目元、又は頬に相当する部分のいずれかに設けることが好ましい。又、前記高目付部２２は、１００ｇ／ｍ２を超える目付量（より好ましくは、１２０〜２００ｇ／ｍ２の目付量）とすることが好ましい。その余は、前記実施形態１〜４と同様のため、繰り返しを避けるべくここでは説明を省略する。
【００３６】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３７】
本発明は、顔面に貼付されて使用される外用貼付剤として好適に用いられる。
【符号の説明】
【００３８】
１  本発明支持体構造（支持体構造）
２  不織布シート
２０  標準目付部
２１  低目付部
２２  高目付部
３  メッシュ部
１０  本発明貼付剤（マスク状貼付剤）
【図１】
2020048998.tif 000003
【図２】
2020048998.tif 000004
【図３】
2020048998.tif 000005
【図４】
2020048998.tif 000006
【図５】
2020048998.tif 000007
【図６】
2020048998.tif 000008
【図７】
2020048998.tif 000009